(57)【要約】【課題】  様々な洗浄対象の洗浄に対して洗浄具を取り換える必要性を低減することを可能にする洗浄具を提供する。【解決手段】  スポンジ２aを備えた弾性洗浄体２と該弾性洗浄体２の表面を取り巻く繊維質生地製部材３とを備える洗浄具１において、繊維質生地製部材３は、前記弾性洗浄体２を進退自在な大きさに形成された開口部４を有しており、弾性洗浄体２の一部が、開口部４の位置から外部に突出している。【選択図】  図１
2018033499.tif 000002
【特許請求の範囲】
【請求項１】
スポンジを備えた弾性洗浄体と該弾性洗浄体の表面を取り巻く繊維質生地製部材とを備える洗浄具であって、
繊維質生地製部材は、前記弾性洗浄体を進退可能な大きさに形成された開口部を有しており、
弾性洗浄体の一部が、開口部の位置から外部に突出していることを特徴とする洗浄具。
【請求項２】
繊維質生地製部材は、編生地で形成されている、請求項１に記載の洗浄具。
【請求項３】
繊維質生地製部材は、開口部に沿って弾性伸縮性紐材を取り付けられており、且つ、該弾性伸縮性紐材の収縮力で開口部を窄められているとともに弾性洗浄体の周囲を弾性的に締め付けている、請求項１または２に記載の洗浄具。
【請求項４】
繊維質生地製部材は、開口部の位置で弾性洗浄体に接合されている、請求項１または２に記載の洗浄具。
【請求項５】
弾性洗浄体は、繊維質生地製部材の開口部に向き合う部分に溝部が形成されており、
繊維質生地製部材の開口部が、該溝部に嵌まり込んでいる、請求項１から４のいずれかに記載の洗浄具。
【発明の詳細な説明】
【技術分野】
【０００１】
本発明は、スポンジを備えた弾性洗浄体を有する洗浄具に関する。
【背景技術】
【０００２】
スポンジを備えた弾性洗浄体を有する洗浄具は、浴室や台所の洗浄や食器類の洗浄など様々な場所や物を対象とした洗浄を実施する用途で使用されている。このような洗浄具としては、泡立ち性や洗浄力の向上の目的でスポンジの表面を袋状のネットで被覆する構造を有するたわしが知られている（例えば、特許文献１）。その洗浄具は、ネットの内部にスポンジが収納された構造となっていることから、洗浄具のどの部分についてもスポンジの表面をネットで被覆した構造部が洗浄対象に一様に接触できるようになって一様に強い洗浄力で洗浄対象を洗浄することができる。
【先行技術文献】
【特許文献】
【０００３】
【特許文献１】実開平１−１６８２５１号公報
【発明の概要】
【発明が解決しようとする課題】
【０００４】
しかしながら、洗浄対象の汚れ具合や傷つきやすさ等といった洗浄対象の状態は、多様である。このため、特許文献１では、洗浄対象に応じて多種多様な洗浄具を準備し、洗浄対象に応じて洗浄具を取り換えることが必要となっていた。
【０００５】
本発明は、様々な洗浄対象の洗浄に対して洗浄具を取り換える必要性を低減することを可能にする洗浄具を提供することを目的とする。
【課題を解決するための手段】
【０００６】
本発明は、（１）スポンジを備えた弾性洗浄体と該弾性洗浄体の表面を取り巻く繊維質生地製部材とを備える洗浄具であって、
繊維質生地製部材は、前記弾性洗浄体を進退自在な大きさに形成された開口部を有しており、
弾性洗浄体の一部が、開口部の位置から外部に突出していることを特徴とする洗浄具、
（２）繊維質生地製部材は、編生地で形成されている、上記（１）に記載の洗浄具、
（３）繊維質生地製部材は、開口部に沿って弾性伸縮性紐材を取り付けられており、且つ、該弾性伸縮性紐材の収縮力で開口部を窄められているとともに弾性洗浄体の周囲を弾性的に締め付けている、上記（１）または（２）に記載の洗浄具、
（４）繊維質生地製部材は、開口部の位置で弾性洗浄体に接合されている、上記（１）または（２）に記載の洗浄具、
（５）弾性洗浄体は、繊維質生地製部材の開口部に向き合う部分に溝部が形成されており、
繊維質生地製部材の開口部が、該溝部に嵌まり込んでいる、上記（１）から（４）のいずれかに記載の洗浄具、を要旨とする。
【発明の効果】
【０００７】
本発明によれば、様々な洗浄対象の洗浄に対して洗浄具を取り換える必要性を低減すること可能な洗浄具を提供することが可能となる。
【図面の簡単な説明】
【０００８】
【図１】図１は、本発明の洗浄具の一実施例を模式的に示す概略斜視模式図である。
【図２】図２Ａ、図２Ｂ、図２Ｃは、本発明における弾性洗浄体の実施例を模式的に示す概略斜視模式図である。
【図３】図３Ａ、図３Ｂ、図３Ｃは、本発明における繊維質生地製部材の実施例を模式的に示す概略斜視模式図である。図３Ｄは、図３Ｃの一点鎖線で囲まれた領域Ｎを拡大した状態を模式的に説明する概略部分拡大模式図である。
【図４】図４は、本発明の洗浄具の一実施例において繊維質生地製部材の開口部と弾性洗浄体とを接合してなる接合部を備える場合の一例を模式的に示す概略斜視模式図である。
【図５】図５は、本発明の洗浄具の一実施例において開口部に弾性伸縮性紐材を備える場合の一例を模式的に示す概略斜視模式図である。
【図６】図６は、本発明の洗浄具の他の実施例において弾性洗浄体に溝部が形成されている場合の一例を模式的に示す概略斜視模式図である。
【図７】図７は、本発明の洗浄具の他の実施例において繊維質生地製部材を複数備える場合の一例を模式的に示す概略斜視模式図である。
【図８】図８は、本発明の洗浄具の他の実施例において繊維質生地製部材が開口部を複数備える場合の一例を模式的に示す概略斜視模式図である。
【図９】図９は、本発明の洗浄具の他の実施例において繊維質生地製部材に取り巻き部と非取り巻き部が形成されている場合の一例を模式的に示す概略斜視模式図である。
【発明を実施するための形態】
【０００９】
［第１の実施形態］
図１等を参照しつつ本発明の第１の実施形態における洗浄具１について説明する。なお、後述の第２の実施形態以下において、第１の実施形態と同様の構成に対しては、同じ符号で表記し、且つ、説明を省略する。洗浄具１は、所定形状に形成された一個体の弾性洗浄体２と、その弾性洗浄体２の表面を取り巻く繊維質生地製部材３とを備えて構成される。
【００１０】
（弾性洗浄体２）
弾性洗浄体２は、スポンジ２ａを備えた構造体である。弾性洗浄体２の材質は、洗浄具として利用可能なものであれば、その材質を特に限定されるものではない。
【００１１】
弾性洗浄体２の大きさや形状は、用途に応じて適宜定められればよく、図２Ａや図２Ｃに例示するように、円柱や直方体形状など、特に限定されるものではない。図２Ａ等に挙げる一例では、弾性洗浄体２の大きさは、大人の手のひら程度の大きさに定められており、弾性洗浄体２の形状は、直方体状に形成されている。
【００１２】
弾性洗浄体２は、図１、図２Ａ等に挙げる例では、スポンジ２ａで形成されており、単層体で構成されているが、これに限定されない。弾性洗浄体２は、弾性を有するような他の層とスポンジとの積層体で構成されたものであってもよい。図２Ｂに示すように、弾性洗浄体２は、他の層として例えば不織布層２ｂなどとスポンジ２ａとの積層体を例示することができる。不織布層２ｂとしては、短繊維などを用いてフェルト状に形成された層を例示することができる。弾性洗浄体２が、積層体で構成されている場合、繊維質生地製部材３の開口部４から少なくともスポンジが外部に突出していることが好適である。洗浄対象が傷の付きやすい物である場合に、スポンジの突出部分を用いてその洗浄対象を洗浄することが容易となるからである。
【００１３】
（スポンジ２ａ）
スポンジ２ａは、弾性洗浄体２について上述したように、洗浄具１として利用可能なものであれば、その材質を特に限定されるものではない。具体的なスポンジ２ａの材質としては、ウレタン樹脂、メラミン樹脂、セルロース樹脂などを例示することができる。
【００１４】
（繊維質生地製部材３）
繊維質生地製部材３は、弾性洗浄体２の一部に対して弾性洗浄体２の表面を取り巻くことができる程度の大きさを有する空間を有していればその形状を特に限定されるものではないが、図１の例では、後述の開口部４を１つ有する袋状の形状に形成されている。
【００１５】
（開口部４）
繊維質生地製部材３には、少なくとも１つの開口部４が形成されている。開口部４は、弾性洗浄体２を進退可能な大きさに形成される。弾性洗浄体２を進退可能な大きさとは、弾性洗浄体２に弾性的に復元可能な範囲で外力を加えて弾性洗浄体２を圧縮した状態において開口部４から弾性洗浄体２を挿入及び退出させることができる程度の大きさを示すものとする。
【００１６】
開口部４は、開口部４に沿った開口部４の周囲長さ（図３において一点鎖線で示す部分Ｌ１の長さ）が弾性洗浄体２のうち開口部４に向かい合う部分の周囲長さ（図２において一点鎖線で示す部分Ｌ２の長さ）よりやや小さい値（短い長さ）であることが好ましい。この場合弾性洗浄体２に弾性的に復元可能な範囲で外力を加えて弾性洗浄体２を圧縮した状態にて開口部４から弾性洗浄体２を進退させることが維持されつつ、図１に示すように繊維質生地製部材３の開口部４で弾性洗浄体２をやや締め付けた状態を形成することができるようになって、繊維質生地製部材を弾性洗浄体に着脱可能に固定することができるようになる。なお、部分Ｌ１，Ｌ２の長さは、図２Ａ，図３Ａに示すように、外力の付加から解放された状態にあるそれぞれ繊維質生地製部材３、弾性洗浄体２に対して測定された長さである。
【００１７】
（繊維質生地８）
繊維質生地製部材３は、繊維質生地８を図８に示すような筒状や、図１等に示すような袋状などの所定の形状に加工してなるものである。繊維質生地８を構成する生地材は、図１等に示すように編生地９から構成されるものであってもよいし、図３Ｂに示すように織生地１０から構成されるものであってもよい。繊維質生地８を構成する生地材は、図３Ｂに示すように目の詰まった布状に形成されたものであってもよいし、図１、図２Ａ等に示すようにネットやレース状に形成された生地であってもよい。繊維質生地８を構成する生地が、ネットやレース状の生地である場合、目の粗さは特に限定されるものではない。また、繊維質生地８を構成する生地を構成する繊維の材質は特に限定されず、天然繊維や合成繊維などから適宜選択されてよい。
【００１８】
洗浄具１では、弾性洗浄体２の一部が、繊維質生地製部材３の開口部４の位置から外部に突出している。すなわち、洗浄具１においては、弾性洗浄体２の一部が繊維質生地製部材３に取り囲まれ、弾性洗浄体２の他の部分が開口部４から外部に露出した状態となっている。このため、本発明の洗浄具１によれば、弾性洗浄体２の表面に繊維質生地製部材３が配置された構造部で洗浄対象を洗浄することができるだけでなく、弾性洗浄体２の表面のみで洗浄対象を洗浄することも可能となる。すると、本発明の洗浄具１によれば、例えば洗浄対象が傷のつきにくい物且つ汚れのひどい物である場合には、弾性洗浄体２の表面に繊維質生地製部材３が配置された構造部で洗浄対象を洗浄し、洗浄対象が傷のつきやすい物である場合には、弾性洗浄体２の表面のみで洗浄対象を洗浄することができることとなる。したがって、本発明の洗浄具１によれば、１種類の洗浄具で様々な洗浄対象の状態に対応することができ、洗浄対象の状態に応じて洗浄具を準備する必要を低減することができるようになる。
【００１９】
（繊維質生地製部材３の数）
繊維質生地製部材３は、図１の例に示すように単数設けられてよいほか、図７の例に示すように複数設けられてもよい。図７の例では、弾性洗浄体２が外力を受けていない状態で直方体状に形成されている場合において、弾性洗浄体２の長辺に沿った方向に離れている一方の端部１１ａに繊維質生地製部材３が設けられて、その繊維質生地製部材３の開口部４から外部に弾性洗浄体２の他方の端部１１ｂ側が突出しており、且つ、その他方側の端部１１ｂに繊維質生地製部材３が設けられて、その繊維質生地製部材３の開口部４から外部に弾性洗浄体２が突出して、弾性洗浄体２の中央部が露出した状態となっている。洗浄具１が、弾性洗浄体２の中央部を露出させていることで、洗浄対象が比較的脆いでっぱり部分を有してその周囲に汚れのこびりついた物である場合に、脆い部分に弾性洗浄体２を当て、その周囲を繊維質生地製部材３で洗浄することで、脆い部分に繊維質生地製部材３が引っ掛かる虞を低減しつつ効果的に洗浄をすることができる。
【００２０】
（繊維質生地製部材３と弾性洗浄体２の相対的な位置関係）
繊維質生地製部材３と弾性洗浄体２の相対的な位置関係は、繊維質生地製部材３が、弾性洗浄体２の一部に対して弾性洗浄体２の表面を取り巻いていれば特に限定されない。図１の例に示すように、繊維質生地製部材３のおおよそ全体が、弾性洗浄体２の一部に対して弾性洗浄体２の表面を取り巻いていてもよいし、図９の例に示すように、繊維質生地製部材３の一部が弾性洗浄体２の表面を取り巻いていてもよい。洗浄具１において、繊維質生地製部材３の一部が弾性洗浄体２の表面を取り巻くことで、繊維質生地製部材３に、繊維質生地製部材３の一部が弾性洗浄体２に向き合う状態となっている部分（取り巻き部１２）と、繊維質生地製部材３の他の部分が弾性洗浄体２に向き合っていない状態になっている部分（非取り巻き部１３）とが形成される。このような本発明の洗浄具１によれば、例えば洗浄対象が口径の大きな凹状の物且つ汚れのひどい物である場合には、取り巻き部１２でしっかりとした洗浄を行い、洗浄対象が口径の小さな凹状の物である場合には、繊維質生地製部材３で構成される非取り巻き部１３で口径の小さな凹状の物の内面側に繊維質生地製部材３を入り込ませてしっかりとした洗浄を行うことが可能となる。
【００２１】
［第２の実施形態］
本発明の洗浄具１においては、図４に示すように、繊維質生地製部材３の開口部４の位置で繊維質生地製部材３を弾性洗浄体２に接合して接合部６が形成されていてもよい。このような洗浄具を、第２の実施形態の洗浄具と呼ぶ。
【００２２】
接合部６を形成する方法は適宜選択可能である。例えば、接合部６は、繊維質生地製部材３の開口部４と弾性洗浄体２との熱融着によって形成することができる。また、接合部６は、例えば、繊維質生地製部材３の開口部４にあたる部分に接着剤を塗布して繊維質生地製部材３と弾性洗浄体２とを接着剤を介して接着することでも形成することができる。
【００２３】
第２の実施形態の洗浄具１が、繊維質生地製部材３の開口部４の位置で繊維質生地製部材３を弾性洗浄体２に接合して接合部６を形成していることで、繊維質生地製部材３と弾性洗浄体２との意図しない分離を抑制することができる。
【００２４】
［第３の実施形態］
本発明の洗浄具１においては、図３Ｃ、図５に示すように、繊維質生地製部材３は、開口部４に沿って弾性伸縮性紐材５を取り付けられてよい。この場合、繊維質生地製部材３が、弾性伸縮性紐材５の収縮力で開口部４を窄められているとともに弾性洗浄体２の周囲を弾性的に締め付けている。このような洗浄具を、第３の実施形態の洗浄具と呼ぶ。なお、繊維質生地製部材３に対する弾性伸縮性紐材５の取り付けは、例えば具体的に次のように実現することが可能である。すなわち、図３Ｄに示すように、開口部４の形成端側に位置する繊維質生地８端部に沿って筒状の取付部材１４を取り付け、取付部材１４内に弾性伸縮性紐材５を通すことで、繊維質生地製部材３を弾性伸縮性紐材５に取付ることが実現可能である。取付部材１４の材質として柔軟な材質のものが好適に使用され、繊維質生地８と同様の材質のものが好適に採用される。図３Ｄの例では、取付部材１４を介して繊維質生地製部材３に弾性伸縮性紐材５が取付けられているが、繊維質生地製部材３に弾性伸縮性紐材５が直接取付けられてもよい。
【００２５】
第３の実施形態の洗浄具１が、弾性伸縮性紐材５の収縮力で開口部４を窄められているとともに弾性洗浄体２の周囲を繊維質生地製部材３にて弾性的に締め付けていることで、繊維質生地製部材３と弾性洗浄体２との意図しない分離を抑制することができる。また、この洗浄具１によれば、弾性伸縮性紐材５を意図的に弾性的に伸ばされた状態としつつ繊維質生地製部材３の内部空間から弾性洗浄体２を引き抜くことで、繊維質生地製部材３と弾性洗浄体２との必要に応じて意図的に分離することができる。このように弾性洗浄体２と繊維質生地製部材３とを必要に応じて別体にすることができることで、それぞれを用いて弾性洗浄体２と繊維質生地製部材３の特性に応じた洗浄対象を洗浄することができる。
【００２６】
［第４の実施形態］
本発明の洗浄具１においては、図６に示すように、弾性洗浄体２が、繊維質生地製部材３の開口部４に向き合う部分を含む所定部分に溝部７を形成されており、且つ、繊維質生地製部材３の開口部４が、溝部７に嵌まり込んでいてもよい。このような洗浄具を、第４の実施形態の洗浄具と呼ぶ。
【００２７】
第４の実施形態の洗浄具１が、繊維質生地製部材３の開口部４を溝部７に嵌め込んだ構造を備えることで、第２，３の実施形態の洗浄具１と同様に、繊維質生地製部材３と弾性洗浄体２との意図しない分離を抑制することができる。また、この洗浄具１によれば、弾性洗浄体２を意図的に押しつぶした状態としつつ繊維質生地製部材３の内部空間から弾性洗浄体２を引き抜くことで、第３の実施形態の洗浄具１と同様に、必要に応じて繊維質生地製部材３と弾性洗浄体２との意図的に分離できることから、必要に応じて別体された弾性洗浄体２と繊維質生地製部材３をそれぞれ用いて弾性洗浄体２と繊維質生地製部材３の特性に応じた洗浄対象を洗浄することができる。
【００２８】
［第５の実施形態］
本発明の洗浄具においては、図８の例に示すように、繊維質生地製部材３が、複数の開口部４を有する筒状に形成されてもよい。このような洗浄具１を、第５の実施形態の洗浄具と呼ぶ。図８の例に示す第５の実施形態の洗浄具１の場合、繊維質生地製部材３は、２つの開口部４，４を有する筒状に形成されている。
【００２９】
第５の実施形態の洗浄具１では、弾性洗浄体２の端部１１ａ、１１ｂの両端部が突出して、弾性洗浄体２の中央部の周囲が繊維質生地製部材３で取り巻かれている。このように洗浄具１が、弾性洗浄体２の両方の端部１１ａ、１１ｂを突出させて、端部１１ａ、１１ｂを外部に露出させた状態となしていることで、洗浄対象が汚れのこびりつきやすい部分の周囲に比較的脆い部分を有する物である場合に、脆い部分に弾性洗浄体２を当てがい、汚れのこびりついた部分を繊維質生地製部材３で洗浄することで、脆い部分に繊維質生地製部材３が引っ掛かってしまう虞を低減しつつ効果的に洗浄をすることができる。
【符号の説明】
【００３０】
１  洗浄具
２  弾性洗浄体
２ａ  スポンジ
２ｂ  不織布層
３  繊維質生地製部材
４  開口部
５  弾性伸縮性紐材
６  接合部
７  溝部
８  繊維質生地
９  編生地
１０  織生地
１１ａ、１１ｂ  端部
１２  取り巻き部
１３  非取り巻き部
１４  取付部材
【図１】
2018033499.tif 000003
【図２】
2018033499.tif 000004
【図３】
2018033499.tif 000005
【図４】
2018033499.tif 000006
【図５】
2018033499.tif 000007
【図６】
2018033499.tif 000008
【図７】
2018033499.tif 000009
【図８】
2018033499.tif 000010
【図９】
2018033499.tif 000011